(57)【要約】【課題】本願は、屋根上設置物を安定した状態で取り付けることができ、金具自体の強度が高く、高さ調整機能も備えた屋根上設置物の取り付け金具を提供することを目的とする。【解決手段】瓦棒を有する屋根に対して、抱持部材と、取り付け部材と、締め付け具とで構成される屋根上設置物の取り付け金具を用いる。抱持部材は、左抱持体と右抱持体とで構成され、左右抱持体は、上端に形成した連結部と、貫通孔を形成した側面と、前記側面の軒棟側端を内側に折り曲げた折り曲げ面とを有し、折り曲げ面は、抱持部を有する。取り付け部材は、上面と、貫通孔を形成した側面と、貫通孔より上に形成された被連結部とを有する。取り付け部材の両側に左右抱持体が対向させて配置され、互いに嵌合する形状の連結部と被連結部とが組み合わせられていることを特徴とする。【選択図】図１
2013002172.tif 000002
【特許請求の範囲】
【請求項１】
瓦棒葺き屋根に用いる屋根上設置物取り付け金具であって、
抱持部材と、取り付け部材と、締め付け具とで構成されており、
前記抱持部材は、
左抱持体と右抱持体とで構成され、
該左右抱持体は、
上端に形成した連結部と、
貫通孔を形成した側面と、
前記側面の軒棟側端を内側に折り曲げた折り曲げ面とを有し、
該折り曲げ面は、
抱持部を有しており、
前記取り付け部材は、
上面と、
貫通孔を形成した側面と、
前記貫通孔より上に形成された被連結部とを有しており、
前記取り付け部材の両側に前記左右抱持体が対向させて配置され、
互いに嵌合する形状の前記連結部と前記被連結部とが組み合わせられていることを
特徴とする屋根上設置物取り付け金具。
【請求項２】
取り付け部材の上面には、
リップ溝が形成されている
ことを特徴とする請求項１記載の屋根上設置物取り付け金具。
【請求項３】
取り付け部材の上面の上方には、
対向する側に高さ調整用溝を複数段設けた左右立面が形成されている
ことを特徴とする請求項１乃至請求項２記載の屋根上設置物取り付け金具。
【発明の詳細な説明】
【技術分野】
【０００１】
本発明は、瓦棒葺き屋根上に、太陽光発電パネルやその支持部材などの屋根上設置物を取り付ける金具に関するものである。
【背景技術】
【０００２】
従来技術について、図６および図７により説明する。図６は特開２０１０−２８５７９９に、図７は特許第３３３２３２７号に記載されていた技術である。
【０００３】
図６には、折板屋根の馳締連結部を収納する凹状の窪みとした馳抱持部と、馳抱持部の下方に位置する馳挟持面とを有する第１挟持部材と、第１挟持部材と同様に凹状の窪みとした馳抱持部と馳挟持面とを有する第２挟持部材と、第１挟持部材と第２挟持部材とを近接及び離間させる締付具とからなることを特徴とする折板屋根用力骨体が記載されている。
【０００４】
図７には、付設構築物を載置する載置片と、一対の挟持片と、一対の挟持片を近接させる締付け手段とを備え、載置片に形成した係止孔に、挟持片に形成したフック片を係入した取付金具が記載されている。
【先行技術文献】
【特許文献】
【０００５】
【特許文献１】特開２０１０−２８５７９９
【特許文献２】特許第３３３２３２７号
【発明の概要】
【発明が解決しようとする課題】
【０００６】
図６の折板屋根用力骨体は、屋根上に第１及び第２挟持部材で取り付けられる。この際、一方の挟持状態が他方の挟持状態に影響する。たとえば、寸法誤差や施工誤差により、２箇所ある馳締連結部の大きさがそれぞれ異なる場合が想定される。この場合、大きいほうの馳締連結部に対する挟持もしくは抱持と同等の状態で、小さいほうの馳締連結部を挟持もしくは抱持することになる。その結果、屋根上への固着が十分でなく、屋根上設置物の荷重や負圧などによって、折板屋根用力骨体が馳締連結部から外れてしまう恐れがある。
【０００７】
また、馳締連結部や瓦棒の状態によっては、第１及び第２挟持部材を組み合わせるとハ字状もしくは逆ハ字状になってしまう恐れがある。この場合、折板屋根用力骨体を屋根上に取り付けることができない、もしくは安全な状態になるように取り付けることができない可能性がある。
【０００８】
図７の取付金具では、一対の挟持片が補強面等のない金属板で形成されている。そのため、締付け手段の締付けの強さ、付設構築物の重量により、挟持片が変形し、付設構築物を落下させてしまう危険性があった。
【０００９】
また、載置片と挟持片とは、係止孔とフック片とにより組み合わされている。図７の取付金具は、締付け手段を締め付けると、フック片が係止孔から外れる方向に力が加わる。したがって、締め付けすぎると、フック片が係止孔から外れてしまう恐れがある。逆に、締め付けがゆるすぎると、一対の挟持片同士がハ字状になる。その結果、係止孔に係止されているフック片が負圧によって外れやすくなる。さらに、フック片が係止孔から載置片上に貫通し、係止する形状なので、締付けが最適な状態でないと、フック片の折り曲げ部または端部が載置片よりも上方に突出した状態になり、施工や設置状態に支障を来たしてしまう恐れがあった。
【００１０】
さらに、図６の折板屋根用力骨体、図７の取付金具はともに、取り付ける屋根に不陸があった場合などに、高さ調整がしにくいという問題があった。
【００１１】
本願は、寸法誤差、施工誤差程度であれば、瓦棒の馳締部の状態を問わず、安定した抱持状態となり、さらに抱持状態が屋根上設置物の取り付けに影響を与えず、屋根上設置物の重量により変形しない取り付け金具の提供を目的とする。
【００１２】
さらに、上記に加えて、高さ調整機能も備えた屋根上設置物の取り付け金具を提供することを目的とする。
【課題を解決するための手段】
【００１３】
本願の屋根上設置物の取り付け金具は、瓦棒を有する屋根に用いる屋根上設置物取り付け金具であって、抱持部材と、取り付け部材と、締め付け具とで構成されている。
【００１４】
抱持部材は、左抱持体と右抱持体とで構成される。左右抱持体は、上端に形成した連結部と、貫通孔を形成した側面と、側面の軒棟側端を内側に折り曲げた折り曲げ面とを有する。折り曲げ面は、抱持部を有している。
【００１５】
取り付け部材は、上面と、貫通孔を形成した側面と、貫通孔より上に形成された被連結部とを有している。
【００１６】
取り付け部材の両側に左右抱持体を対向させて配置し、互いに嵌合する形状の連結部と被連結部とが組み合わせられていることを特徴とする。
【００１７】
また、本願の請求項２に示す屋根上設置物の取り付け金具は、上記の特徴に加え、取り付け部材の上面にリップ溝が形成されていることを特徴とする。
【００１８】
また、本願の請求項３に示す屋根上設置物の取り付け金具は、上記の特徴に加え、取り付け部材の上面の上方に、対向する側に高さ調整用溝を複数段設けた左右立面が形成されていることを特徴とする。
【発明の効果】
【００１９】
取り付け部材の被連結部と抱持部材の連結部とがお互いに嵌合する形状であり、組み合わされて、締め付け具によって瓦棒の両馳締部の締め付け具合を調整できる。そのため、瓦棒の多少の寸法誤差や施工誤差を吸収し、最適な設置状態とすることができる。このとき、左右抱持体はそれぞれ独立した構成なので、一方の馳締部に対する抱持状態が、他方の抱持状態に影響することはない。
【００２０】
抱持部材と取り付け部材とは別体として、上面よりも下方に被連結部を設けることによって嵌合部分が上面より上方に突出しない構成で組み合わせるので、抱持部材の抱持状態は取り付け部材の上面よりも上方に突出することはない。その結果、本願の金具は、屋根上設置物を安定した状態で取り付けることができる。
【００２１】
抱持部材に折り曲げ面を形成することによって、締め付け具による締め付けに対する強度が高くなり、変形しにくい。
【００２２】
さらに、高さ調整機能も付加することもでき、不陸等に対する高さ調整を容易に行えるようになる。
【図面の簡単な説明】
【００２３】
【図１】本願の請求項１及び請求項２に示す屋根上設置物の取り付け金具の実施例の説明図である。
【図２】回り止め部材の実施例の説明図である。
【図３】本願の請求項３に示す屋根上設置物の取り付け金具の実施例の説明図である。
【図４】高さ調整板の実施例の説明図である。
【図５】本願の請求項３に示す屋根上設置物の取り付け金具の実施例の説明図である。
【図６】従来技術の説明図である。
【図７】従来技術の説明図である。
【実施例】
【００２４】
本願の屋根上設置物の取り付け金具の実施例について、図１から図５により説明する。図１から図２は、本願の請求項１及び請求項２に示す屋根上設置物の取り付け金具の実施例を示す説明図である。図３から図５は、本願の請求項３に示す高さ調整機能がある屋根上設置物の取り付け金具の実施例を示す説明図である。
【００２５】
まず、本願の請求項１及び請求項２に示す屋根上設置物の取り付け金具の実施例について、図１から図２で説明する。
【００２６】
図１に示した通り、本願の屋根上設置物の取り付け金具は、抱持部材Ａと、取り付け部材Ｂと、締め付け具Ｃとで構成されている。
【００２７】
抱持部材Ａは、左抱持体１と右抱持体２で構成されている。左抱持体１及び右抱持体２は、上端に形成した連結部１１・２１と、貫通孔１２１・２２１を形成した側面１２・２２と、前記側面１２・２２の両側端を内側に折り曲げた折り曲げ面１３・２３を有する。連結部１１・２１は、取り付け部材Ｂの被連結部５と組み合わされる。なお、図１において連結部１１・２１は、折り曲げ面１３・２３の上端に形成されているが、側面１２・２２の上端に形成してもよく、折り曲げ面１３・２３及び側面１２・２２双方の上端に形成してもよい。折り曲げ面１３・２３は、抱持部１３１・２３１を有している。
【００２８】
抱持部材Ａの連結部１１・２１と取り付け部材Ｂの被連結部５とを嵌合させて、締め付け具Ｃを締め付けると、左抱持体１と右抱持体２の抱持部１３１・２３１同士が近接する。逆に締め付け具Ｃを緩めると、左抱持体１と右抱持体２の抱持部１３１・２３１同士が開き、瓦棒Ｇへの取り付けができる状態になる。抱持部１３１・２３１は、瓦棒Ｇの馳締部９１・９１を側方及び下方から抱持する形状である。図１では略コ字状に切り欠いて抱持部１３１・２３１を形成している。ただし、抱持部１３１・２３１は、取り付け部材Ｂの側面４と瓦棒Ｇの馳締部９１を挟むとともに、そこに下方から引っ掛かる仕組みであればよく、形状は問わない。
【００２９】
取り付け部材Ｂは、屋根上設置物を取り付ける上面３と、被連結部５と、貫通孔４１を形成した側面４とを有する。本実施例では、押出し加工された取り付け部材Ｂを記載しているが、折板加工されたものでもよい。また、溶接によって加工することもできるが、押出し加工もしくは折板加工とした方が金具製造の手間が少なくてすむ。
【００３０】
締め付け具Ｃとは、ボルト及びナット等を指す。締め付け具Ｃは、抱持部材Ａ及び取り付け部材Ｂの貫通孔１２１・２２１・４１を用いて取り付けられ、本願の屋根上設置物の取り付け金具を瓦棒Ｇに締め付け固定するのに使用する。
【００３１】
取り付け部材Ｂの両側に左右抱持体１・２を対向させて配置し、互いに嵌合する形状である左右抱持体1・２の被連結部５・５及び取り付け部材Ｂの連結部１１・２１を組み合わせる。そして、締め付け具Ｃを抱持部材Ａ及び取り付け部材Ｂの貫通孔１２１・２２１・４１を用いて取り付ける。そうすることによって、抱持部材Ａと取り付け部材Ｂとが一体化され、締め付けると抱持部材Ａの抱持部１３１・２３１が、取り付け部材Ｂの側面４と瓦棒Ｇの馳締部９１を挟むとともに、そこに下方から引っ掛かる構造である。したがって、本願の屋根上設置物の取り付け金具は、左抱持体１と右抱持体２で瓦棒Ｇそのものを挟持して屋根上に固定するのではなく、瓦棒Ｇの馳締部９１を抱持して屋根上に固定することが特徴のひとつである。
【００３２】
また、本願の屋根上設置物の取り付け金具は、挟持部材Ａと取り付け部材Ｂとが互いに嵌合する形状として組み合わされる。この連結部１１・２１と被連結部５との嵌合箇所は円弧状にすることが望ましい。円弧状にすることによって、本願の屋根上設置物の取り付け金具を屋根上に取り付けた際に、そこが回動軸として機能し、挟持部材Ａ同士が瓦棒Ｇ上でハ字状もしくは逆ハ字状となってもよく、瓦棒Ｇの両馳締部９１・９１を挟むとともに、下方から引っ掛かれば、屋根上設置物を取り付けることができる。
【００３３】
なお、本実施例では、連結部１１・２１が凸形状、被連結部５が凹形状の組合せを示したが、どのような形状の組合せであっても、お互いに嵌合して回動可能もしくは摺動可能に連結ができればよい。
【００３４】
また、取り付け部材Ｂと左右抱持体１・２との連結箇所は、それぞれ別々にするのが望ましい。それは、左抱持体１と右抱持体２との連結箇所をそれぞれ独立させることによって、瓦棒Ｇの両馳締部９１・９１の状態が異なる場合でも、それぞれに対して最適な抱持状態とすることができるためである。
【００３５】
取り付け部材Ｂの上面３には、屋根上設置物を取り付けるための手段としてリップ溝３１を形成してもよい。たとえば、図１のように、ボルト径程度の幅の開口部、ナットの対辺寸法程度の幅のものを設けることが挙げられる。このリップ溝３１はナットを挿入すると、回り止めになる。その場合、リップ溝３１から下方に貫通するボルト孔３２を設けて、上方から屋根上設置物を固定するボルトを挿入することができるからである。
【００３６】
本実施例では、ナットを挿入する例で説明したが、これを応用して、ナットではなく、ボルト頭をリップ溝３１に挿入して、ボルトを上向きに立設することも可能である。
【００３７】
ここで、本願の屋根上設置物の取り付け金具に使用することができる回り止め部材Ｄの実施例について、図２で説明する。
【００３８】
リップ溝３１は、ボルト頭部やナットを直接挿入するのではなく、それら専用の回り止め部材Ｄを挿入するのに利用してもよい。回り止め部材Ｄは、回り止め部７１と係止部７２を有する。回り止め部７１は、ナット又はボルト頭部が嵌る形状であり、ナット又はボルト頭部が回らないようにする機構をもつ。係止部７２は、回り止め部材Ｄを取り付け部材Ｂに固定する役割をもち、回り止め部材Ｄをリップ溝３１に挿入したときに、回り止め部Ｄ、すなわちナット又はボルトの設置が適切な位置となるよう、位置決めする機構をもつ。
【００３９】
次に、本願の屋根上設置物の取り付け金具を屋根上に取り付ける方法について、図１で説明する。
【００４０】
締め付け具Ｃを緩め、左抱持体１と右抱持体２とを開く。取り付け部材Ｂと左抱持体１及び右抱持体２とで屋根の瓦棒Ｇの両馳締部９１・９１を挟むとともに、下方から引っ掛かるようにし、締め付け具Ｃを締め付けることによって屋根上に固定する。
【００４１】
このとき、本願の屋根上設置物の取り付け金具は、左抱持体１と右抱持体２のそれぞれの抱持部１３１・２３１が、取り付け部材Ｂの側面４・４と瓦棒Ｇの両馳締部９１・９１を挟むとともに、下方から引っ掛かる状態になり、瓦棒Ｇ上に固定される。
【００４２】
また、抱持部材Ａが瓦棒Ｇの側面に当接する部分を、その形状にあわせた当接部１４・２４としてもよい。当接部１４・２４を形成することによって、締め付け具Ｃで抱持部材Ａを締め付けても瓦棒Ｇを傷めなくてすむ。
【００４３】
さらに、抱持部材Ａの下端を折り曲げ、屋根面に当接する底面１５・２５を形成してもよい。底面１５・２５を形成することによって、屋根材表面を傷めることなく、より安定した状態に取り付けることができる。
【００４４】
屋根上設置物の取り付けに当たっては、その形状や大きさに合わせ、瓦棒Ｇ上の必要な箇所に本願の屋根上設置物の取り付け金具を複数取り付けていく。
【００４５】
その後、その複数の取り付け金具の上面３に屋根上設置物を取り付ける。このとき、取り付ける屋根上設置物は、太陽光発電パネル等の支持部材であってもよいし、太陽光発電パネル等そのものであってもよい。太陽光発電パネル等を直接取り付ける際には、先述のように本願の屋根上設置物の上面３にリップ溝３１を設けておくと、屋根上での作業効率が向上する。また、ここでいう太陽光発電パネル等の支持部材Ｈとは、Ｃ形鋼や角形鋼、レール等を指す。
【００４６】
次に、本願の請求項３に示す屋根上設置物の取り付け金具について、図３から図４で説明する。
【００４７】
図３に示した実施例では、屋根上設置物の取り付け金具の構成要素に加え、取り付け部材Ｂの上面３の上方に左右立面６・６を有する。左右立面６・６は、取り付け部材Ｂの一部として上面３の左右端部を上方にのばすように立設されており、対向する側に高さ調整用溝６１を複数段形成している。その左右立面６・６の高さ調整用溝６１に高さ調整板Ｅを挿入することによって高さ調整が可能である。なお、その高さ調整板Ｅの実施例については別途後述する。本実施例では、取り付け部材Ｂの上面３の左右端部を上方にのばすように立設させているが、同形状の高さ調整専用部材として別に用意し、図１に示した実施例の取り付け部材Ｂの上面３に取り付けてもよい。
【００４８】
ここで、本願の屋根上取り付け金具に使用する高さ調整板Ｅの実施例について、図４で説明する。
【００４９】
高さ調整板Ｅは、左右立面６・６に架設するように高さ調整用溝６１に挿入される。そのため、挿入する高さ調整板Ｅが左右方向に略水平の状態になるように、左右立面６・６同士で同じ高さで対になるように高さ調整用溝６１が形成されていることが望ましい。本実施例の場合、高さ調整板Ｅの棟側端部に係止部８１を、中央部に挿通孔８２を形成している。高さ調整板Ｅは、高さ調整用溝６１に挿入したときに、係止部８１が左右立面６・６の棟側端部に引っ掛かることによって、軒側に抜け落ちないようになっている。また、高さ調整板Ｅを高さ調整用溝６１に挿入し、係止部８１を左右立面６の棟側端部に当てたときに、挿通孔８２の位置が屋根上設置物を取り付けるために用いるボルトの適正な設置位置となるようにあらかじめ設定しておく。そのように設定しておくことによって、高さ調整板Ｅを係止部８１が引っ掛かる位置まで挿入するだけで、ボルトの適正な設置位置を決めることができる。
【００５０】
このように、係止部８１は、高さ調整板Ｅが脱落しないようにする役割、ボルトの適正な設置位置を決める役割をもつ。なお、図３では、係止部８１について軒側端部を左右にのばしたものを記載しているが、高さ調整板Ｅの脱落を防止し、ボルトの設置位置を決めることができれば、その形状・係止方法は問わない。
【００５１】
次に、本願の請求項３に示す屋根上設置物の取り付け金具での高さ調整について、図３で説明する。本実施例では、支持部材Ｈを取り付ける場合を示す。
【００５２】
設置に際し、屋根に不陸が生じている場合がある。不陸が生じている屋根に長尺のレール状の屋根上設置物を取り付ける場合、平面でない屋根面上に、直線状に複数の取り付け金具を並べ、それに屋根上設置物を取り付ける。この場合、ほかの部分に比べて屋根面が低くなっている部分に固定した取り付け金具に、屋根上設置物を取り付けようとすると、無理な応力がかかることになる。
【００５３】
本願の屋根上設置物の取り付け金具によれば高さ調整することができるので、不陸が生じている屋根であっても、無理な応力のかからない設置が実現できる。この場合、屋根面がほかの部分よりも低くなっている部分に固定した取り付け金具について、支持部材Ｈの下面を支承できる位置にある高さ調整用溝６１に、高さ調整板Ｅを挿し込む。その後、その高さ調整板Ｅ上に支持部材Ｈを取り付ける。
【００５４】
このように高さ調整することによって、屋根上設置物を複数の屋根上設置物の取り付け金具でバランスよく支える状態となるので、特定の屋根上設置物の取り付け金具に荷重が集中することがない。その結果、屋根上設置物及び屋根材に無理な応力がかからず、それらを傷めることがなくなる。
【００５５】
そのほか、不陸が生じていると、太陽光発電パネルなどを設置したときに仕上がり面に凹凸が生じる場合がある。この場合、凹状になっている部分の屋根上設置物の取り付け金具において、高さ調整板Ｅによる高さ調整を行う。こうすることによって、太陽光発電パネルは凹凸なく面一である仕上がりにできるので、意匠性の高い設置が実現できる。
【００５６】
次に、本願の請求項３に示す高さ調整機能の付いた屋根上設置物の取り付け金具について、図３とは異なる実施例について、図５で説明する。
【００５７】
図１に示したような屋根上設置物の取り付け金具の構成要素に加え、取り付け部材Ｂの上面３の上方に取り付ける別部材として、左右立面６を有する高さ調整部材Ｆを用いる。その高さ調整部材Ｆは、取り付け部材Ｂとは別体であり、載置面と、載置面の左右端から下方に延びる左右立面６を有する。左右立面６は、対向する側に高さ調整用溝６１を複数段形成している。
【００５８】
取り付け部材Ｂの上面３にあらかじめ左右の突出した挿入片３３を形成しておき、左右立面６・６双方の高さ調整用溝６１を挿入する。一方、挿入片３３に挿入された結果、高さ調整部材Ｆの載置面が左右方向に略水平の状態になるように、左右立面６・６同士で同じ高さで対になるように高さ調整用溝６１が形成されていることが望ましい。本実施例の場合、高さ調整部材Ｆの脱落防止のために、取り付け部材Ｂの上面３の軒側端部、もしくは高さ調整部材Ｆの棟側端部に係止部を設けることが望ましい。
【００５９】
次に、本願の請求項３に示す屋根上設置物の取り付け金具での高さ調整についても、図５で説明する。本実施例では、支持部材Ｈを取り付ける場合を示す。
【００６０】
設置に際し、屋根に不陸が生じている場合がある。不陸が生じている屋根に長尺のレール状の屋根上設置物を取り付ける場合、平面でない屋根面上に、直線状に複数の取り付け金具を並べ、それに屋根上設置物を取り付ける。この場合、ほかの部分に比べて屋根面が低くなっている部分に固定した取り付け金具に、屋根上設置物を取り付けようとすると、無理な応力がかかることになる。
【００６１】
本願の屋根上設置物の取り付け金具によれば高さ調整することができるので、不陸が生じている屋根であっても、無理な応力のかからない設置が実現できる。この場合、屋根面がほかの部分よりも低くなっている部分に固定した取り付け金具について、支持部材Ｈの下面が、高さ調整部材Ｆの載置面に当接する位置になるように、高さ調整用溝６１を取り付け部材Ｂの上面３の挿入片３３に挿し込む。その後、その高さ調整部材の載置面上に支持部材Ｈを取り付ける。
【００６２】
このように高さを調整することによって、屋根上設置物を複数の屋根上設置物の取り付け金具でバランスよく支える状態となるので、特定の屋根上設置物の取り付け金具に荷重が集中することがない。その結果、屋根上設置物及び屋根材に無理な応力がかからず、それらを傷めることがなくなる。
【００６３】
そのほか、不陸が生じていると、太陽光発電パネルなどを設置したときに仕上がり面に凹凸が生じる場合がある。この場合、凹状になっている部分の屋根上設置物の取り付け金具に高さ調整部材Ｆによる高さ調整を行う。こうすることによって、太陽光発電パネルは凹凸なく面一である仕上がりにできるので、意匠性の高い設置が実現できる。
【符号の説明】
【００６４】
Ａ      抱持部材
１      左抱持体
１１    連結部
１２    側面
１２１  貫通孔
１３    折り曲げ面
１３１  抱持部
１４    当接部
１５    底面
２      右抱持体
２１    連結部
２２    側面
２２１  貫通孔
２３    折り曲げ面
２３１  抱持部
２４    当接部
２５    底面
Ｂ      取り付け部材
３      上面
３１    リップ溝
３２    ボルト孔
３３    挿入片
４      側面
４１    貫通孔
５      被連結部
６      立面
６１    高さ調整用溝
Ｃ      締め付け具
Ｄ      回り止め部材
７１    回り止め部
７２    係止部
Ｅ      高さ調整板
８１    係止部
８２    挿通孔
Ｆ      高さ調整部材
Ｇ      瓦棒
９１    馳締部
Ｈ      支持部材
【図１】
2013002172.tif 000003
【図２】
2013002172.tif 000004
【図３】
2013002172.tif 000005
【図４】
2013002172.tif 000006
【図５】
2013002172.tif 000007
【図６】
2013002172.tif 000008
【図７】
2013002172.tif 000009